(57)【要約】【課題】水撃の悪影響を緩和することができる逆止弁を提供する。【解決手段】逆止弁１００は、流体の流入が停止されると弁付勢機構１４０の付勢により即座に流入口１１１が流入閉止弁１２０で閉止される。このように流体の流動が即座に遮断されると水撃が発生するが、この水撃に流動抵抗体１５０が抵抗付勢機構の付勢により弾発的に抵抗する。このため、水撃の悪影響を緩和することができる。【選択図】図１
2012052617.tif 000002
【特許請求の範囲】
【請求項１】
流体が流入する流入口と流出する流出口とを有する流路を形成する弁本体と、
前記流路に位置して前記流入口を開閉自在に閉止する流入閉止弁と、
前記流入閉止弁を前記流入の方向に直線状に移動自在に支持する弁支持機構と、
前記流入閉止弁を前記流入口に弾発的に付勢する弁付勢機構と、
前記流入閉止弁より下流の前記流路に位置して前記流体の流動に抵抗する流動抵抗体と、
前記流動抵抗体を前記流出の方向に直線状に移動自在に支持する抵抗支持機構と、
前記流動抵抗体を前記流出の方向に弾発的に付勢する抵抗付勢機構と、
を有する逆止弁。
【請求項２】
前記弁支持機構と前記抵抗支持機構とが一体に形成されており、
前記弁付勢機構と前記抵抗付勢機構とが一体に形成されている請求項１に記載の逆止弁。
【請求項３】
前記弁支持機構および前記抵抗支持機構は、前記流入閉止弁に固定されていて前記弁本体にスライド自在に支持されている支持軸を有し、前記支持軸に前記流動抵抗体がスライド自在に支持されている請求項２に記載の逆止弁。
【請求項４】
前記弁付勢機構および前記抵抗付勢機構は、前記流入閉止弁と前記流動抵抗体とを相互に反発する方向に付勢するスプリングを有する請求項２または３に記載の逆止弁。
【請求項５】
前記弁付勢機構および前記抵抗付勢機構は、前記流入閉止弁と前記流動抵抗体とを相互に反発する方向に付勢するマグネットを有する請求項２または３に記載の逆止弁。
【請求項６】
前記弁本体は、円筒状に前記流路が形成されており、
前記流動抵抗体は、円盤状に形成されている請求項１ないし５の何れか一項に記載の逆止弁。
【請求項７】
前記弁本体は、円筒状に前記流路が形成されており、
前記流動抵抗体は、前記流動の方向に拡開した円錐状に形成されている請求項１ないし５の何れか一項に記載の逆止弁。
【請求項８】
前記弁本体は、円筒状に前記流路が形成されており、
前記流動抵抗体は、前記流動と反対の方向に拡開した円錐状に形成されている請求項１ないし５の何れか一項に記載の逆止弁。
【発明の詳細な説明】
【技術分野】
【０００１】
本発明は、流体の流動方向を一方に規制する逆止弁に関する。
【背景技術】
【０００２】
現在、流体の流動方向を一方に規制するために逆止弁が利用されている。このような逆止弁では、例えば、流体が流入する流入口と流出する流出口とを有する流路を弁本体が形成する。
【０００３】
流路に位置する流入閉止弁が流入口を開閉自在に閉止する。流入閉止弁を流入の方向に直線状に移動自在に弁支持機構が支持する。流入閉止弁を流入口に弾発的に弁付勢機構が付勢する。
【０００４】
このため、流体の流入が停止されると弁付勢機構の付勢により即座に流入口が流入閉止弁で閉止される。従って、流体の逆流が最小限となるので、発生する水撃も最小限となる（特許文献１，２）。
【先行技術文献】
【特許文献】
【０００５】
【特許文献１】特開２００８−１８０２７１号公報
【特許文献２】特開２００１−０５９５７８号公報
【発明の概要】
【発明が解決しようとする課題】
【０００６】
上述のような逆止弁は、流体の流入が停止されると即座に流入口が流入閉止弁で閉止されるので、発生する水撃を最小限とすることができる。しかし、最小限でも水撃が発生するため、その衝撃や騒音などの悪影響が発生する。
【０００７】
本発明は上述のような課題に鑑みてなされたものであり、さらに水撃の悪影響を緩和することができる逆止弁を提供するものである。
【課題を解決するための手段】
【０００８】
本実施の形態の逆止弁は、流体が流入する流入口と流出する流出口とを有する流路を形成する弁本体と、流路に位置して流入口を開閉自在に閉止する流入閉止弁と、流入閉止弁を流入の方向に直線状に移動自在に支持する弁支持機構と、流入閉止弁を流入口に弾発的に付勢する弁付勢機構と、流入閉止弁より下流の流路に位置して流体の流動に抵抗する流動抵抗体と、流動抵抗体を流出の方向に直線状に移動自在に支持する抵抗支持機構と、流動抵抗体を流出の方向に弾発的に付勢する抵抗付勢機構と、を有する。
【０００９】
従って、本発明の逆止弁では、流体が流入する流入口と流出する流出口とを有する流路を弁本体が形成する。流路に位置する流入閉止弁が流入口を開閉自在に閉止する。流入閉止弁を流入の方向に直線状に移動自在に弁支持機構が支持する。流入閉止弁を流入口に弾発的に弁付勢機構が付勢する。流入閉止弁より下流の流路に位置する流動抵抗体が流体の流動に抵抗する。流動抵抗体を流出の方向に直線状に移動自在に抵抗支持機構が支持する。流動抵抗体を流出の方向に弾発的に抵抗付勢機構が付勢する。このため、流体の流入が停止されると弁付勢機構の付勢により即座に流入口が流入閉止弁で閉止される。このように流体の流動が即座に遮断されると水撃が発生するが、この水撃に流動抵抗体が抵抗付勢機構の付勢により弾発的に抵抗する。
【００１０】
また、上述のような逆止弁において、弁支持機構と抵抗支持機構とが一体に形成されており、弁付勢機構と抵抗付勢機構とが一体に形成されていてもよい。
【００１１】
また、上述のような逆止弁において、弁支持機構および抵抗支持機構は、流入閉止弁に固定されていて弁本体にスライド自在に支持されている支持軸を有し、支持軸に流動抵抗体がスライド自在に支持されていてもよい。
【００１２】
また、上述のような逆止弁において、弁付勢機構および抵抗付勢機構は、流入閉止弁と流動抵抗体とを相互に反発する方向に付勢するスプリングを有してもよい。
【００１３】
また、上述のような逆止弁において、弁付勢機構および抵抗付勢機構は、流入閉止弁と流動抵抗体とを相互に反発する方向に付勢するマグネットを有してもよい。
【００１４】
また、上述のような逆止弁において、弁本体は、円筒状に流路が形成されており、流動抵抗体は、円盤状に形成されていてもよい。
【００１５】
また、上述のような逆止弁において、弁本体は、円筒状に流路が形成されており、流動抵抗体は、流動の方向に拡開した円錐状に形成されていてもよい。
【００１６】
また、上述のような逆止弁において、弁本体は、円筒状に流路が形成されており、流動抵抗体は、流動と反対の方向に拡開した円錐状に形成されていてもよい。
【００１７】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１８】
本発明の逆止弁では、流体の流入が停止されると弁付勢機構の付勢により即座に流入口が流入閉止弁で閉止される。このように流体の流動が即座に遮断されると水撃が発生するが、この水撃に流動抵抗体が抵抗付勢機構の付勢により弾発的に抵抗する。このため、水撃の悪影響を緩和することができる。
【図面の簡単な説明】
【００１９】
【図１】本発明の実施の形態の逆止弁の内部構造を示す模式的な縦断正面図である。
【図２】流体が流入する状態の逆止弁を示す模式的な縦断正面図である。
【図３】流体の流動が停止したときの逆止弁を示す模式的な縦断正面図である。
【図４】一の変形例の逆止弁の内部構造を示す模式的な縦断正面図である。
【図５】他の変形例の逆止弁の内部構造を示す模式的な縦断正面図である。
【発明を実施するための形態】
【００２０】
本発明の実施の一形態を図面を参照して以下に説明する。なお、本実施の形態では図示するように上下方向を規定して説明する。しかし、これは構成要素の相対関係を簡単に説明するために便宜的に規定するものである。従って、本発明を実施する製品の製造時や使用時の方向を限定するものではない。
【００２１】
本実施の形態の逆止弁１００は、図１ないし図３に示すように、流体が流入する流入口１１１と流出する流出口１１２とを有する流路１１３を形成する弁本体１１０と、流路１１３に位置して流入口１１１を開閉自在に閉止する流入閉止弁１２０と、流入閉止弁１２０を流入の方向に直線状に移動自在に支持する弁支持機構１３０と、流入閉止弁１２０を流入口１１１に弾発的に付勢する弁付勢機構１４０と、流入閉止弁１２０より下流の流路１１３に位置して流体の流動に抵抗する流動抵抗体１５０と、流動抵抗体１５０を流出の方向に直線状に移動自在に支持する抵抗支持機構と、流動抵抗体１５０を流出の方向に弾発的に付勢する抵抗付勢機構と、を有する。
【００２２】
より具体的には、本実施の形態の逆止弁１００では、抵抗支持機構と弁支持機構１３０とが一体に形成されており、抵抗付勢機構と弁付勢機構１４０とが一体に形成されている。
【００２３】
弁支持機構１３０は、流入閉止弁１２０に固定されていて弁本体１１０にスライド自在に支持されている支持軸１３１を有し、支持軸１３１に流動抵抗体１５０がスライド自在に支持されている。
【００２４】
弁付勢機構１４０は、流入閉止弁１２０と流動抵抗体１５０とを相互に反発する方向に付勢するスプリングからなる。弁本体１１０は、円筒状に流路１１３が形成されており、流動抵抗体１５０は、円盤状に形成されている。
【００２５】
上述のような構成において、本実施の形態の逆止弁１００では、図面の下方から流体が流入して上方に流出する。流体が流入していない状態では、図１に示すように、弁付勢機構１４０で弾発的に付勢されている流入閉止弁１２０で流入口１１１が閉止されている。
【００２６】
しかし、流入口１１１に流体が流入すると、図２に示すように、弁付勢機構１４０の付勢に抗して流入閉止弁１２０が押し上げられ、流体が流路１１３を流動して流出口１１２から流出する。
【００２７】
このような状態で、流体の流入が停止されると、図３に示すように、弁付勢機構１４０の付勢により即座に流入口１１１が流入閉止弁１２０で閉止される。このため、流体の逆流が最小限となるので、水撃も最小限となる。
【００２８】
それでも、上述のように流体の流動が即座に遮断されると水撃が発生するが、図３に示すように、この水撃に流動抵抗体１５０が弁付勢機構１４０の付勢により弾発的に抵抗する。このため、水撃による衝撃や騒音などの悪影響を緩和することができる。
【００２９】
なお、本発明は本実施の形態に限定されるものではなく、その要旨を逸脱しない範囲で各種の変形を許容する。例えば、上記形態では流動抵抗体１５０が単純な円盤状に形成されていることを例示した。
【００３０】
しかし、図４に例示する逆止弁２００のように、流動抵抗体２１０が、流体の流動と反対の方向に拡開した円錐状である円錐台形に形成されていてもよい。この場合、流動抵抗体２１０に衝突する水撃が外側に偏向されるので、より水撃の悪影響を緩和できることが期待される。
【００３１】
また、図５に例示する逆止弁３００のように、流動抵抗体３１０が、流体の流動の方向に拡開した円錐状である円錐台形に形成されていてもよい。この場合、流動抵抗体３１０に衝突する水撃が内側に偏向されるので、より水撃の悪影響を緩和できることが期待される。
【００３２】
さらに、上記形態では弁付勢機構１４０が流入閉止弁１２０と流動抵抗体１５０とを相互に反発する方向に付勢するスプリングからなることを例示した。しかし、弁付勢機構が流入閉止弁１２０と流動抵抗体１５０とを相互に反発する方向に付勢するマグネットからなってもよい(図示せず)。その場合、例えば、流入閉止弁１２０の上面と流動抵抗体１５０の下面とが、同一の極性からなればよい。
【００３３】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００３４】
１００    逆止弁
１１０    弁本体
１１１    流入口
１１２    流出口
１１３    流路
１２０    流入閉止弁
１３０    弁支持機構
１３１    支持軸
１４０    弁付勢機構
１５０    流動抵抗体
２００    逆止弁
２１０    流動抵抗体
３００    逆止弁
３１０    流動抵抗体
【図１】
2012052617.tif 000003
【図２】
2012052617.tif 000004
【図３】
2012052617.tif 000005
【図４】
2012052617.tif 000006
【図５】
2012052617.tif 000007